(57)【要約】      （修正有）【課題】安全性と防塵性に優れたシャッタ付き光コネクタを提供する。【解決手段】光コネクタプラグ１００と、スライドすることにより開口部１２４の位置が移動して当該光コネクタプラグに内装された光ファイバの光軸を開閉するプラグ側シャッタ１２０を備えて構成されると共に、光コネクタアダプタ２００は、スライドすることにより開口部２２４の位置が移動して当該光コネクタアダプタ２００に内装された図示しない光ファイバの光軸を開閉するアダプタ側シャッタ２２０を備えて構成され、光コネクタプラグ１００を光コネクタアダプタ２００に挿入することによりシャッタがそれぞれ開口し、光コネクタプラグ１００を光コネクタアダプタ２００から抜脱するといずれのシャッタも閉じられる。【選択図】  図１
2004170544.tif 000002
【特許請求の範囲】
【請求項１】
光コネクタプラグと、それが挿入される光コネクタアダプタとにより構成される光コネクタにおいて、
前記光コネクタプラグは、スライドすることにより開口部の位置が移動して当該光コネクタプラグに内装された光ファイバの光軸を開閉するためのコイルバネで押圧されているプラグ側シャッタを備えて構成されると共に、前記光コネクタアダプタは、スライドすることにより開口部の位置が移動して当該光コネクタアダプタに内装された光ファイバの光軸を開閉するためのコイルバネで押圧されているアダプタ側シャッタを備えて構成され、
前記光コネクタプラグを前記光コネクタアダプタに挿入することによりプラグ側シャッタ及びアダプタ側シャッタがそれぞれ開口し、前記光コネクタプラグを前記光コネクタアダプタから抜脱するとプラグ側シャッタ及びアダプタ側シャッタのいずれもが閉じられるようにされる機構をもったことを特徴とするシャッタ付き光コネクタ。
【請求項２】
フェルールが内蔵されたプラグ本体に、先端側の内側面が先端に行くに従って幅が次第に狭くなるように斜めにカットされたテーパー部を有するスライドカバーが挿抜方向に可動可能に配設されると共に、前記スライドカバーにはその一端側に突起部を備えたプラグ側シャッタが配設され、該突起部を押圧することにより前記プラグ側シャッタがスライドして開口部の位置が移動し、前記光コネクタプラグに内装された光ファイバの光軸を開口するようにされた光コネクタプラグを、
当該光コネクタプラグが挿入される挿入孔が形成されたアダプタ本体を有し、前記挿入孔の内部には、その一端に設けられたスイッチ部を押圧することによってスライドし、それにより開口部の位置が移動して開口するようにされたアダプタ側シャッタと、テーパー状に凸設されたガイド部が配設された光コネクタアダプタの前記挿入孔に挿入すると、
前記アダプタ本体に設けられた前記ガイド部が前記プラグ側シャッタに設けられた突起部を押圧することによって当該プラグ側シャッタがスライドして開口すると共に、前記スライドカバーのテーパー部が前記アダプタ側シャッタのスイッチ部を押圧することによってアダプタ側シャッタがスライドして開口し、そして、前記スライドカバーの先端部が前記アダプタ本体の挿入孔の内壁部に当接して前記プラグ本体に内蔵されたフェルールの先端部分がプラグ本体より前に突き出すようにされたことを特徴とするシャッタ付き光コネクタ。
【請求項３】
請求項２に記載のシャッタ付き光コネクタにおいて、
前記プラグ側シャッタは、弾性部材を備えて構成され、前記光コネクタプラグを前記光コネクタアダプタから抜脱した状態では前記弾性部材により遮蔽状態となるように付勢されていることを特徴とするシャッタ付き光コネクタ。
【請求項４】
請求項２に記載のシャッタ付き光コネクタにおいて、
前記アダプタ側シャッタは、弾性部材を備えて構成され、前記光コネクタプラグを前記光コネクタアダプタから抜脱した状態では前記弾性部材により遮蔽状態となるように付勢されていることを特徴とするシャッタ付き光コネクタ。
【発明の詳細な説明】
【０００１】
【発明の属する技術分野】
本発明は、光コネクタに関し、さらに詳細には、光コネクタプラグと光コネクタアダプタを相互に嵌合させたときに自動的に開口し、単独では開口しないシャッタを備えたシャッタ付き光コネクタに関する。
【０００２】
【従来の技術】
近年、通信技術の発展は著しく、ＩＴ産業における企業間の競争が激化している。従来、一般の電話回線を用いて、家庭用電話と同周波数帯域でのデータ通信がおこなわれていたが、さらに高速の通信速度が要求されるようになると、より高い周波数帯域を利用したＡＤＳＬ等が出現し広く普及している。しかし、ＩＴ関連企業における現在及び将来の通信ネットワーク構想として、インターネットテレビやＩＰ電話等があり、これらのより大きなデータ通信をおこなうには、従来の電話回線を用いた通信網では対応できず、一般の電話回線を用いた通信よりも大きなデータ通信が行える光ファイバを利用した通信網が開発及び実用化され、今後急速に普及するものと予想される。
【０００３】
しかし、その反面、光ファイバで伝達される光エネルギーは大きく、その光を直視すると、眼の網膜に悪影響を及ぼし、時には失明する危険性もある。今後、このような光ファイバが一般家庭に普及した場合に、危険意識が低い子供がいじってプラグを覗き込んで光を直視する可能性もあり、どのようにして安全性を保障するかといった技術的な問題がある。
【０００４】
そこで、従来、光ファイバと他の光ファイバとを接続したり、パソコン等の電子機器とを接続するために光ファイバの端末に取付けられるコネクタに何らかのシャッタ機構を設け、伝達される光が直接外部に出ない構造としたコネクタが考えられ特許出願されている。
特許文献１に記載の発明もその１つであり、受光プラグ挿抜によりシャッタの開閉が自動的に行われるシャッタ付光コネクタに関するものである。特許文献１には、放射側光ジャックと受光側プラグとがハウジングの挿入孔内で当接し光結合するコネクタにおいて、挿入孔の始端部に設けられた磁性体が固着されたガイドに、受光側光プラグに押されて始端部と終端部との間で水平方向に摺動可能にされた磁石と、始端部がガイド溝の終端部に連通し、ガイド溝と直行する垂直ガイド溝があり、当該ガイド溝にはシャッタ付磁石が上下方向に摺動可能に設けられているものである。受光側光プラグ挿入されていない場合には、磁石は始端側の磁性体側にあり、シャッタ付磁石は自重により、垂直に配設されたガイド始端側に位置し、シャッタにより、挿入孔は遮断されている。受光側光プラグを挿入すると、該受光側光プラグに押されて磁石が終端側に移動し、それに追従して磁力の反力によりシャッタ付磁石は垂直ガイド溝にそって、垂直ガイド溝の終端部に移動し、挿入孔は開通する。受光側光プラグを抜くと、該プラグに設けられた磁性体によって、磁石がガイド溝始端側まで引っ張られ、シャッタ付磁石が再び垂直ガイド溝の始端部に移動し、挿入穴を遮断し、これにより、使用者が受光側光プラグを挿抜すると、ハウジングに設けられたシャッタが自動的に開閉するシャッタ付光コネクタが開示されている。
また、特許文献２に記載の発明は、光レセプタクルを取付けるマウントと光センサを内蔵するホルダを簡易に着脱するロック機構と、光センサの受光を遮断するシャッタ機構を備える光コネクタ用アダプタである。特許文献２には、マウントとホルダが一対の爪と一対の螺旋状突起で結合され、シャッタは光レセプタクルとマウント間に移動可能に保持されており、シャッタを所定の方向に移動することにより、光ファイバの出射光を遮断または通過させ、プラグを外すことなくオフセットすることができる光コネクタ用アダプタが開示されている。
さらに、特許文献３に記載の発明は、光コネクタプラグを結合アダプタから引き抜いた状態において、光を外部に露出させない多心光コネクタに関するものである。特許文献３には、光コネクタプラグの先端部の外周部にプラグシャッタが取付けられ、プラグシャッタはコイルバネによって、非嵌合時はプラグシャッタが閉じられるように付勢されており、光軸を遮蔽している。光コネクタプラグを結合アダプタに挿入すると、プラグシャッタの上方に張り出した梁部が結合アダプタの挿入口外周部に押されることにより、プラグシャッタが開かれて光軸が開放される多心光コネクタが開示されている。
【０００５】
【特許文献１】
特開平５―０９３８２１号公報  （第２〜４頁、第１、第６，７図）
【特許文献２】
特開平８―２６２２７８号公報  （第２、３頁、第１、２図）
【特許文献３】
特開平１０―３００９８５号公報  （第２〜４頁、第１、２図）
【０００６】
しかし、特許文献１に記載の発明は、シャッタがハウジング側にしか設けられていないので、ジャックを交換する等の理由で、ジャックを取り外した場合に、作業者が光を直視してしまう恐れがあり、十分な安全性が保障されているとは言い難い。また、磁力の作用を利用した、磁石の摺動移動による開閉機構としているため、磁石を取付けるためのスペースや摺動移動のためのスペース等が必要となり、構造を小型化するのが難しい等の問題がある。
また、特許文献２に記載の発明も同様に、プラグ付き光ファイバにシャッタ機構が設けられていないので、光レセプタクルからプラグを取り外した場合に、作業者が光を直視してしまう危険性があり、十分な安全性が保障されていないという問題がある。
最後に、特許文献３に記載の発明では、機構が簡単で構造を小型にできるが、光を遮蔽するシャッタが光コネクタプラグ側にしか設けられておらず、光コネクタプラグを結合アダプタに挿入した場合に、プラグシャッタは開かれた状態となり、例えば、使用者が結合アダプタの他端側から覗いた場合に、光を直視してしまう危険性がある。また、プラグシャッタはコイルバネによって開閉可能に設けられているので、一般家庭で子供等が指でプラグシャッタを持ち上げて開くことができ、十分な安全性が保障されているとは言えない。
【０００７】
【発明が解決しようとする課題】
そこで、本発明は以上のような問題点を解決するものであり、光コネクタ用アダプタ及びプラグにそれぞれシャッタを儲け、相互に嵌合させることにより自動的に開閉するシャッタを備え、それぞれ単独ではシャッタが開閉しない機構とし、安全性と防塵性に優れたシャッタ付き光コネクタを提供することを目的とする。
【０００８】
【課題を解決するための手段】
上記課題を解決するために、請求項１に記載の発明は、光コネクタプラグと、それが挿入される光コネクタアダプタとにより構成される光コネクタにおいて、光コネクタプラグは、スライドすることにより開口部の位置が移動して当該光コネクタプラグに内装された光ファイバの光軸を開閉するコイルバネで押圧されているプラグ側シャッタを備えて構成されると共に、光コネクタアダプタは、スライドすることにより開口部の位置が移動して当該光コネクタアダプタに内装された光ファイバの光軸を開閉するコイルバネで押圧されているアダプタ側シャッタを備えて構成され、光コネクタプラグを光コネクタアダプタに挿入することによりプラグ側シャッタ及びアダプタ側シャッタがそれぞれ開口し、光コネクタプラグを光コネクタアダプタから抜脱するとプラグ側シャッタ及びアダプタ側シャッタのいずれもが閉じられるようにされる機構をもったことを特徴とする。
【０００９】
上記課題を解決するために、請求項２に記載の発明は、フェルールが内蔵されたプラグ本体に、先端側の内側面が先端に行くに従って幅が次第に狭くなるように斜めにカットされたテーパー部を有するスライドカバーが挿抜方向に可動可能に配設されると共に、スライドカバーにはその一端側に突起部を備えたプラグ側シャッタが配設され、該突起部を押圧することによりプラグ側シャッタがスライドして開口部の位置が移動し、光コネクタプラグに内装された光ファイバの光軸を開口するようにされた光コネクタプラグを、当該光コネクタプラグが挿入される挿入孔が形成されたアダプタ本体を有し、挿入孔の内部には、その一端に設けられたスイッチ部を押圧することによってスライドし、それにより開口部の位置が移動して開口するようにされたアダプタ側シャッタと、テーパー状に凸設されたガイド部が配設された光コネクタアダプタの挿入孔に挿入すると、アダプタ本体に設けられたガイド部がプラグ側シャッタに設けられた突起部を押圧することによって当該プラグ側シャッタがスライドして開口すると共に、スライドカバーのテーパー部がアダプタ側シャッタのスイッチ部を押圧することによってアダプタ側シャッタがスライドして開口し、そして、スライドカバーの先端部分がアダプタ本体の挿入孔の内壁部に当接してプラグ本体に内蔵されたフェルールの先端部分がプラグ本体より前に突き出すようにされたことを特徴とするシャッタ付き光コネクタを提供する。
【００１０】
上記課題を解決するために、請求項３に記載の発明は、請求項２に記載のシャッタ付き光コネクタにおいて、プラグ側シャッタは、弾性部材を備えて構成され、光コネクタプラグを光コネクタアダプタから抜脱した状態では弾性部材により遮蔽状態となるように付勢されていることを特徴とする。
【００１１】
上記課題を解決するために、請求項４に記載の発明は、請求項２に記載のシャッタ付き光コネクタにおいて、アダプタ側シャッタは、弾性部材を備えて構成され、光コネクタプラグを光コネクタアダプタから抜脱した状態では弾性部材により遮蔽状態となるように付勢されていることを特徴とする。
【００１２】
【発明の実施の形態】
以下、本発明に係るシャッタ付き光コネクタを図面に基づいて詳細に説明する。図１は、光コネクタプラグと光コネクタアダプタを嵌合させた状態を示す嵌合図である。
まず、本発明に係るシャッタ付き光コネクタ１は、図１に示すように光コネクタプラグ１００と、光コネクタアダプタ２００と、フェルール３００とを備えて構成されている。
【００１３】
光コネクタプラグ１００は、図２に示すように、プラグ本体１１０と、プラグ側シャッタ１２０と、スライドカバー１３０と、弾性部材１４０とを備えて構成されている。
【００１４】
プラグ本体１１０は、樹脂製で中空の断面、略四角形状部材であり、嵌合したときに光コネクタアダプタ２００と係合する係止凸部１１１と、プラグ本体１１０の内部にスライドカバー１３０を収納して、挿抜方向に移動可能とする中空部１１２と、プラグ本体１１０の一端に形成され、スライドカバー１３０が抜方向（図２に示すＡ方向）に移動したときに、プラグ本体１１０の一部と当接して、スライドカバー１３０が外側に抜けないようにされた当接部１１４と、フェルール３００の一端側を包囲して固定する一対のフェルール取付孔と、フェルール取付孔に連通し、プラグ本体１１０の後部側から図示しない光ファイバが挿入される光ファイバ挿入部１１８と、プラグ本体１１０の内部の略中央近傍の位置から等間隔で横並びに２つ設けられたフェルール保持部１１９とが設けられている。
【００１５】
プラグ側シャッタ１２０は、シャッタ本体１２２と、端部側に形成された突起部１２３と、シャッタ本体１２２上に等間隔に横に並んで形成された２つの開口部１２４と、シャッタ本体１２２のくびれ部１２１を取り巻くように配設された弾性部材１２６とが設けられている。
【００１６】
シャッタ本体１２２は、スライドカバー１３０内で挿抜方向と垂直方向に移動するように配設され、シャッタ本体に設けられている突起部１２３を押圧すると、シャッタ本体１２２に設けられている開口部１２４の位置とスライドカバー１３０に形成されている孔１３４の位置とが一致して開口するように構成されている。それとは逆に突起部１２３の押圧を解除すると、くびれ部１２１に配設された弾性部材１２６の弾性力によって、シャッタ本体１２２は図６に示すＡ方向と逆方向に押し戻され、開口部１２４もＡ方向と逆方向に移動して孔１３４との位置がずれて、フェルール３００に内装された図示しない光ファイバの光軸はプラグ側シャッタ１２０により遮蔽される。
【００１７】
スライドカバー１３０は、樹脂製の断面略箱状部材であり、先端側の内側面が先端に行くに従ってその幅が次第に狭くなるように斜めにカットされたテーパー部１３２と、先端側の正面壁１３６に形成された略四角形状の孔１３４と、スライドカバー１３０を抜方向に移動させたときに外側に抜けないようにプラグ本体１１０の当接部１１４と当接するように設けられた当接部１３７と、光コネクタアダプタ２００に設けられたガイド２１４を案内し、プラグ側シャッタ１２０の突起部１２３をスライドカバー１３０の内部側まで押し込むための案内溝１３８と、スライドカバー１３０が挿入方向に移動したときに、プラグ本体１１０に設けられた凸部１１９を収容する収納部１３９とを備えて構成されている。
【００１８】
弾性部材１４０は、プラグ本体１１０の内部の凸部１１９を取り巻くように配設された金属製のバネ部材である。
【００１９】
弾性部材１４０は、スライドカバー１３０に挿方向（図６に示すＢ方向）に力が加わっていないときには、弾性部材１４０の弾性力によりプラグ本体１１０に設けられた当接部１１４とスライドカバー１３０に設けられた当接部１３７とが係止するまで、スライドカバー１３０を抜方向（図６に示すＢ方向と逆方向）に押し上げるように構成されている。
【００２０】
光コネクタアダプタ２００は、図３に示すように、アダプタ本体２１０と、アダプタ側シャッタ２２０とを備えて構成されている。
【００２１】
アダプタ本体２１０は、樹脂製で断面略四角形状の部材であり、光コネクタプラグ１００と嵌合したときに光コネクタプラグ１００に設けられている係止凸部１１１と係合して、光コネクタプラグ１００を係止する係止溝２１１と、光コネクタプラグ１００が挿入される挿入孔２１２と、挿入孔２１２の内側面に設けられ、内部側に行くに従ってその高さが次第に高くなるようにテーパー状に凸設されたガイド部２１４と、アダプタ側シャッタ２２０を可動可能に配設されるシャッタ収容部２１６と、光コネクタアダプタ１００と嵌合したときに、光コネクタアダプタ１００に配設されているフェルール３００を収容する一対のスリーブ２１８とを備えて構成されている。
【００２２】
シャッタ収容部２１６の表面２１６ａ上には、フェルール収容部２１８の終端側と連通するように孔２１６ｂが設けられており、アダプタ側シャッタ２２０が押圧され、図７に示すＡ方向に移動して、アダプタ側シャッタ２２０に設けられている開口部２２４と同位置となるように構成されている。
【００２３】
アダプタ側シャッタ２２０は、図３及び図７に示すように、くびれ部２２１と、一部がくびれ部２２１を有するシャッタ本体２２２と、端部側に形成されたスイッチ部２２３と、シャッタ本体２２２上に等間隔に横に並んで形成された２つの開口部２２４と、シャッタ本体２２２のくびれ部２２１を取り巻くように配設された弾性部材２２６とが設けられている。
【００２４】
シャッタ本体２２２は、スイッチ部２２３に図７に示すＡ方向に押力が加わらないときは、弾性部材２２６の弾性力によりＡ方向と逆方向に押し上げられた状態であり、開口部２２４は孔２１６ｂと異なる位置となるように構成されている。光コネクタプラグ１００と光コネクタアダプタ２００を嵌合させることによりスイッチ部２２３がアダプタ本体２２２に設けられたガイド部２１４と当接してＡ方向に押されると、シャッタ本体２２２は２つの開口部２２４がシャッタ収容部２１６に設けられている孔２１６ｂと同位置となるようにＡ方向に移動してスリーブ２１８と開口部２２４と孔２１６ｂが連通して開口する。
【００２５】
次に、本発明に係る光コネクタプラグ１００と光コネクタアダプタ２００との挿入から抜去までの手順を図１、図４〜７に基づいて説明する。
図４は、光コネクタプラグ１００を光コネクタアダプタ２００へ挿入した嵌合初期段階の状態を表す図である。まず、光コネクタプラグ１００を光コネクタアダプタ２００に挿入すると、光コネクタアダプタ２００に設けられたガイド部２１４に光コネクタプラグ１００に設けられた案内溝１３８が案内され、図４に示すＡ方向に進入する。そして、進入するに従って、アダプタ本体２１０の内部側に行くに従って次第に高くなるようにテーパー状に凸設されたガイド部２１４によって、スライドカバー１３０に設けられたプラグ側シャッタ１２０の突起部１２３が図４に示すＣ方向へ徐々に押圧されると共に、プラグ側シャッタ１２０のシャッタ本体１２２に形成された開口部１２４が図６に示すＡ方向に移動する。スライドカバー１２０がガイド部２１４の最終部分であるガイド奥部２１４ａまで進入したときに、プラグ側シャッタ１２０の突起部１２３は完全にスライドカバー１２０の内側まで押し込まれ、プラグ側シャッタ１２０のシャッタ本体１２２に形成された開口部１２４の位置とスライドカバー１３０の正面璧１３６に設けられた孔１３４の位置とが一致して開口する。図５は、光コネクタプラグ１００がさらに進入した嵌合中期段階の状態を示す図である。図５に示すように、光コネクタプラグ１００が、さらに進入するとスライドカバー１３０の先端側に形成されたテーパー部１３２により、アダプタ側シャッタ２２０に設けられたスイッチ部２２３が図５に示すＤ方向に徐々に押し付けられると供に、シャッタ本体２２２に形成された開口部２２４が図５に示すＤ方向に移動し、スイッチ部２２３がスイッチ収容部２１６ｃの内側まで押し込まれると、その開口部２２４とアダプタ本体２１０のシャッタ収容部２１６に設けられている孔２１６ｂの位置とが一致して開口する。その後、図５に示すＡ方向にプラグ本体１１０をさらに押し込むと、それと共にプラグ本体１１０に内設されたフェルール３００が開口したそれぞれのシャッタを通して、アダプタ本体２１０に内設されたスリーブ２１８内に挿通されると共に、プラグ本体１１０に設けられた係止凸部１１１とアダプタ本体２１０に設けられた係止溝部２１１とが係合して完全な嵌合状態となる。
【００２６】
次に、光コネクタプラグ１００を光コネクタアダプタ２００から引き抜く場合には、以上の手順と逆の手順となるが、まず、プラグ本体１１０に設けられた係止凸部１１１とアダプタ本体２１０に設けられた係止溝部２１１との係合状態を解除してプラグ本体１１０を図５に示すＢ方向に引き抜くと、プラグ本体１１０に設けられた弾性部材１４０の弾性力により、プラグ本体１１０が同図Ｂ方向に移動し、プラグ本体１１０に設けられた当接部１１４とスライドカバー１３０に設けられた当接部１３６とが当接して、プラグ本体１１０とスライドカバー１３０とが係止状態となる。そのまま、プラグ本体１１０を引き抜くと、アダプタ側シャッタ２２０に設けられた弾性部材２２６の弾性力によりシャッタ本体２２２が図５に示すＤ方向と逆方向に移動し、シャッタ本体２２２に形成された開口部２２４の位置とアダプタ本体２１０のシャッタ収容部２１６に設けられている孔２１６ｂの位置とがずれて閉口状態となる。さらに、アダプタ本体２１０を図４に示すＢ方向に引き抜くと、プラグ側シャッタ１２０に設けられている突起部を押していたガイド部２１４の押し込める量が次第に少なくなり、プラグ側シャッタ１２０の突起部１２３が図４に示すＣ方向と逆方向へ徐々に戻されると共に、プラグ側シャッタ１２０のシャッタ本体１２２が図６に示すＡ方向に移動し、シャッタ本体２２２に設けられた開口部１２４の位置とスライドカバー１３０の正面璧１３６に設けられた孔１３４の位置とがずれて閉口状態となる。上記、一連の作業により、図示しない光ファイバの光が漏洩することなく引き抜くことができ、使用者は間違って光を直視することなく安全に作業をすることができる。
【発明の効果】
以上、説明したように、本発明に係るシャッタ付光コネクタによれば、光コネクタプラグと光コネクタアダプタの双方にシャッタを設けると共に、それぞれを嵌合させたときに初めて容易にそれぞれのシャッタの開口をすることができる構造としたため、無理にシャッタを明けようとしても開口しないため、安全性が高いという効果がある。
【００２７】
また、シャッタの開閉機構を光コネクタプラグと光コネクタアダプタの嵌合構造を利用し、横方向にスライドする機構としたので、光コネクタが小型化できるという効果がある。
【００２８】
また、プラグ本体とプラグ側シャッタ及びアダプタ本体とアダプタ側シャッタとの隙間が非常に少なく横方向に移動する機構とし、遮蔽時には、それぞれのシャッタの開口部は完全に閉じた状態となるので、防塵性が高いという効果がある。
【００２９】
【図面の簡単な説明】
【図１】（ａ）は本願発明に係る光コネクタプラグと光コネクタアダプタとの嵌合状態を表す一部断面の平面図である。（ｂ）はその断面側面図である。
【図２】（ａ）は本願発明に係る光コネクタプラグの一部断面で表す平面図である。（ｂ）はその断面側面図である。
【図３】（ａ）は本願発明に係る光コネクタアダプタの一部断面で表す平面図である。（ｂ）はその断面側面図である。
【図４】（ａ）は本願発明に係る光コネクタプラグと光コネクタアダプタとの挿入時の挿入状態を表す一部断面の平面図である。（ｂ）はその断面側面図である。
【図５】（ａ）は本願発明に係る光コネクタプラグと光コネクタアダプタとの挿入時の挿入状態を表す一部断面の平面図である。（ｂ）はその断面側面図である。
【図６】本願発明に係る光コネクタプラグの一部断面で表す概略斜視図である。
【図７】本願発明に係る光コネクタアダプタの概略斜視図である。
【符号の説明】
１  光コネクタ
１００  光コネクタプラグ
１１０  プラグ本体
１１１  係止凸部
１１２  中空部
１１４  当接溝
１１６  フェルール取付孔
１１８光ファイバ挿入部
１１９フェルール保持部
１２０  プラグ側シャッタ
１２２  シャッタ本体
１２３  突起部
１２４  開口部
１２６  弾性部材
１３０  スライドカバー
１３２  テーパー部
１３３  外壁表面
１３４  孔
１３６  正面壁
１３７  当接部
１３８  案内溝
１３９  収納部
１４０  弾性部材
２００  光コネクタアダプタ
２１０  アダプタ本体
２１１  係止溝
２１２  挿入孔
２１４  ガイド部
２１４ａ  ガイド奥部
２１６  シャッタ収容部
２１６ａ  表面
２１６ｂ  孔
２１６ｃ  スイッチ収容部
２１８  スリーブ
２２０  アダプタ側シャッタ
２２１  くびれ部
２２２  シャッタ本体
２２３  スイッチ部
２２４  開口部
２２６  弾性部材
３００  フェルール
【図１】
2004170544.tif 000003
【図２】
2004170544.tif 000004
【図３】
2004170544.tif 000005
【図４】
2004170544.tif 000006
【図５】
2004170544.tif 000007
【図６】
2004170544.tif 000008
【図７】
2004170544.tif 000009